(57)【要約】【課題】載置物の幅に適合する仕切りが自動選択される間隔調整自在棚板を使用して、保管庫の有無や保管庫のタイプに係わらずに静電気障害を防止することが可能な静電除去装置を提供する。【解決手段】棚板１の板面から載置物Ｐ方向に突出する複数の仕切り２を設ける。該仕切り２を載置物Ｐ方向から棚板１方向に押圧自在になるように装着する。該仕切り２の突出した先端部に接する載置物Ｐの接触面によって仕切り２を棚板１方向に押し戻すと共に、押し戻された仕切り２に隣接する突出状態の他の仕切り２相互の間に載置物Ｐを係止するように間隔調整自在棚板を設ける。仕切り２を10KΩ〜100MΩの高抵抗樹脂材で形成すると共に、棚板１表面を10KΩ〜100MΩの高抵抗塗装剤で被覆し、該棚板１に接触する導電性部材を介して接地するように設ける。【選択図】図１
2006252981.tif 000002
【特許請求の範囲】
【請求項１】
棚板の板面から載置物方向に突出する複数の仕切りを設け、該仕切りを載置物方向から棚板方向に押圧自在になるように装着し、該仕切りの突出した先端部に接する載置物の接触面によって仕切りを棚板方向に押し戻すと共に、押し戻された仕切りに隣接する突出状態の他の仕切り相互の間に載置物を係止するように設けた間隔調整自在棚板を使用する静電除去装置であって、前記仕切りを10KΩ〜100MΩの高抵抗樹脂材で形成すると共に、前記棚板表面を10KΩ〜100MΩの高抵抗塗装剤で被覆し、該棚板に接触する導電性部材を介して接地するように設けたことを特徴とする静電除去装置。
【請求項２】
前記棚板に、導電性の支持棒を連結して棚板との導通状態を保持し、該支持棒を保管庫内に装着し、該支持棒に接続され保管庫から外部に突出する接地端子を介して接地するように設けた請求項１記載の静電除去装置。
【請求項３】
前記棚板を上下に一対組み合わせて上下面に仕切りが突出する棚板体を設け、該棚板体を載置物の上下に配し、載置物の下端部と上端部とを棚板体上下面の仕切りで係止するように設けた請求項１又は２記載の静電除去装置。
【請求項４】
前記仕切りを多数個等間隔に配置して略帯状を成す仕切り列を形成し、該仕切り列を弾性帯板の板面に一対平行に設けて仕切りユニットを形成し、該仕切りユニットの仕切りの位置に合わせた仕切り挿入孔を前記棚板に開穿し、該棚板の裏面から載置物方向に押圧付勢して仕切りユニットの仕切りを載置物方向に出没自在に突出させる板バネを仕切りユニットの各仕切りに装着した請求項１乃至３いずれか記載の静電除去装置。
【発明の詳細な説明】
【技術分野】
【０００１】
本発明は、例えばＩＣ基盤、ＤＭＳ、磁気テープ等を載置し、載置物の各種サイズに応じて最適な間隔の仕切りが自動的に選択される間隔調整自在棚板を使用した静電除去装置に関するものである。
【背景技術】
【０００２】
従来、磁気記録物を静電障害から保護する方法や保管庫として、当出願人が先に権利化した特許文献１記載の静電気障害防止方法や、特許文献２に記載の保管装置などが提案されている。特許文献１の静電気障害防止方法は、保持設備の全表面を高抵抗体で構成すると共に、この保持設備を接地し、静電気を帯びた物体や人が保持設備に触れた場合に、高抵抗体を介して静電気を放電させることで、収納物の静電気障害を防止するものである。
【０００３】
一方、特許文献２の保管装置は、導電体からなるケーシングの内壁面に吊金具を介して棚板を係止し、該棚板の全表面に高抵抗体塗装剤を塗着被覆すると共に、ケーシングの内壁面と吊金具との全表面も高抵抗体塗装剤を塗着被覆し、これらの高抵抗体塗装剤を介して静電気を放電させる保管装置である。
【特許文献１】特公昭６１−４６９６０号公報
【特許文献２】実公平２−３２８０号公報
【発明の開示】
【発明が解決しようとする課題】
【０００４】
特許文献１の静電気障害防止方法では、記録物保持設備の構成体全てを高抵抗体材料で形成するか、あるいは導電性材料から成る設備の全表面を高抵抗体材料で被覆する必要があった。また、引用文献２の保管装置でも、棚板の全表面やケーシングの内壁面、吊金具の全表面などに高抵抗体塗装剤を塗着被覆している。このように、従来の静電障害から保護する方法や保管庫では、極めて多くの高抵抗体材料が必要になり、しかも、この高抵抗体材料の塗着被覆作業等に多くの手間を要するものになっていた。
【０００５】
一方、当出願人は面倒な調整や操作を全く必要とせずに、収納物の各種サイズに応じて最適な間隔の仕切り板が自動的に選択できる間隔調整自在棚板を開発している。この間隔調整自在棚板は、棚板上に載置物を載置するだけで、載置物の幅に適合する仕切りが自動的に選択されるように設けた棚板で、面倒な調整や操作を全く必要とせずに、ＩＣ基盤の厚みや各脚部のピッチなど、収納物の各種サイズに応じて簡単に収納できる工夫が成されている。そこで、この間隔調整自在棚板を、前述の如き従来と同様の手段で静電気障害を防止しようとすると、まず、間隔調整自在棚板を設置する保管庫全体に高抵抗体塗装剤を塗着被覆する必要があるので、使用する保管庫のタイプが制限される不都合があった。しかしながら、間隔調整自在棚板は、どのような保管庫でも装着可能になるのみならず、保管庫無しでも使用可能となる。したがって、このような間隔調整自在棚板を使用する場合、保管庫の有無や保管庫のタイプに係わらずに静電気障害を防止できる新たな静電除去装置の提供が望まれる。
【０００６】
そこで本発明は、上述の課題を解消すべく創出されたもので、載置物の幅に適合する仕切りが自動選択される間隔調整自在棚板を使用して、保管庫の有無や保管庫のタイプに係わらずに静電気障害を防止することが可能な静電除去装置の提供を目的とするものである。
【課題を解決するための手段】
【０００７】
本発明の第１の手段は、棚板１の板面から載置物Ｐ方向に突出する複数の仕切り２を設け、該仕切り２を載置物Ｐ方向から棚板１方向に押圧自在になるように装着し、該仕切り２の突出した先端部に接する載置物Ｐの接触面によって仕切り２を棚板１方向に押し戻すと共に、押し戻された仕切り２に隣接する突出状態の他の仕切り２相互の間に載置物Ｐを係止するように設けた間隔調整自在棚板を使用する静電除去装置であって、導電性樹脂に高抵抗体を練り込んだ合成樹脂材で前記仕切り２を形成し、前記仕切り２を10KΩ〜100MΩの高抵抗樹脂材で形成すると共に、前記棚板１表面を10KΩ〜100MΩの高抵抗塗装剤で被覆し、該棚板１に接触する導電性部材を介して接地するように設けたことにある。
【０００８】
第２の手段は、前記棚板１に、導電性の支持棒２０を連結して棚板１との導通状態を保持し、該支持棒２０を保管庫３０内に装着し、該支持棒２０に接続され保管庫３０から外部に突出した接地端子２１を介して接地するように設けている。
【０００９】
第３の手段は、前記棚板１を上下に一対組み合わせて上下面に仕切りが突出する棚板体１００を設け、該棚板体１００を載置物Ｐの上下に配し、載置物Ｐの下端部と上端部とを棚板体１００上下面の仕切り２で係止するように設けている。
【００１０】
第４の手段は、前記仕切り２を多数個等間隔に配置して略帯状を成す仕切り列Ｓ１を形成し、該仕切り列Ｓ１を弾性帯板の板面に一対平行に設けて仕切りユニット１０を形成し、該仕切りユニット１０の仕切り２の位置に合わせた仕切り挿入孔１Ａを前記棚板１に開穿し、該棚板１の裏面から載置物Ｐ方向に押圧付勢して仕切りユニット１０の仕切り２を載置物Ｐ方向に出没自在に突出させる板バネ３を仕切りユニット１０の各仕切り２に装着したことを課題解消のための手段とする。
【発明の効果】
【００１１】
本発明の請求項１により、載置物Ｐの幅に適合する仕切り２が自動的に選択される間隔調整自在棚板を使用して、仕切り２を10KΩ〜100MΩの高抵抗樹脂材で形成すると共に、棚板１表面を10KΩ〜100MΩの高抵抗塗装剤で被覆し、該棚板１に接触する導電性部材を介して接地するように設けたことにより、保管庫の有無に係わらずに載置物Ｐの静電気障害を防止することができる。
【００１２】
請求項２により、持棒２０を保管庫３０内に装着し、該保管庫３０から外部に突出した接地端子２１を介して接地するように設けているので、保管庫３０内部の支持棒２０に連結された全ての棚板１について、静電気による不都合を解消できる。また、保管庫３０は、従来のように全面を設備や保管装置の全表面を高抵抗体材料で被覆する必要がなくなり、保管庫のタイプに係わらず載置物Ｐの静電気障害を防止することが可能になった。
【００１３】
請求項３では、載置物Ｐの上下に配した棚板体１００によって、載置物Ｐを静電気から確実に保護することができる。
【００１４】
請求項４により、仕切り２を載置物Ｐ方向に出没自在に突出させる板バネ３を仕切りユニット１０の各仕切り２に装着したことで、多数の載置物Ｐを棚板１上に載置した場合でも、全ての載置物Ｐをもれなく保護することが可能になる。
【００１５】
このように、本発明によると、載置物の幅に適合する仕切りが自動選択される間隔調整自在棚板を使用して、保管庫の有無や保管庫のタイプに係わらずに静電気障害を防止することができるなどといった有益な種々の効果を奏するものである。
【発明を実施するための最良の形態】
【００１６】
本発明の最良の形態は、棚板１の板面から載置物Ｐ方向に突出する複数の仕切り２を設ける。該仕切り２を載置物Ｐ方向から棚板１方向に押圧自在になるように装着する。該仕切り２の突出した先端部に接する載置物Ｐの接触面によって仕切り２を棚板１方向に押し戻すと共に、押し戻された仕切り２に隣接する突出状態の他の仕切り２相互の間に載置物Ｐを係止するように間隔調整自在棚板を設ける。導電性樹脂に高抵抗体を練り込んだ合成樹脂材で前記仕切り２を形成する。導電性塗料に高抵抗体を配合した高抵抗体塗装剤で棚板１表面を被覆する。該棚板１に、導電性の支持棒２０を連結して棚板１との導通状態を保持する。支持棒２０を保管庫３０内に装着し、該保管庫３０から外部に突出した接地端子２１を介して接地するように設けることで当初の目的を達成するものである。
【実施例】
【００１７】
本発明静電除去装置は、例えばＩＣ基盤、ＤＭＳ、磁気テープ等の静電気の影響を受け易い磁気記録媒体を載置収納する際に用いるもので、載置物Ｐの各種サイズに応じて最適な間隔の仕切り２が自動的に選択される間隔調整自在棚板Ｑを使用している。
【００１８】
間隔調整自在棚板Ｑは次のような構成を成している。すなわち、棚板１の板面から載置物Ｐ方向に突出するように設けた複数の仕切り２を、棚板１方向に押圧自在に装着することで棚板１方向に押し戻し、押圧されない仕切り２が載置物Ｐを係止するものである（図１１参照）。仕切り２を棚板１方向に押圧するには、この仕切り２の突出した先端部に載置物Ｐの突起等が接触することで行われる。
【００１９】
本発明静電除去装置は、前記間隔調整自在棚板Ｑを使用するもので、前記仕切り２を、10KΩ〜100MΩの高抵抗樹脂材で形成すると共に、前記棚板１表面を10KΩ〜100MΩの高抵抗塗装剤で被覆したものである。高抵抗樹脂材は、合成樹脂材と導電性材とから成るもので、例えば、カーボンブラック、アルミニウム粉末、ブロンズパウダー等の導電性粉末を合成樹脂材に練り込み、全体の抵抗値が10KΩ〜100MΩになるように調整したものである。一方、高抵抗塗装剤は、塗料と導電性材とから成るもので、例えば、カーボンブラックを混合したエポキシ系２液樹脂塗装剤等を使用し、棚板１表面全体が10KΩ〜100MΩになるように被覆するものである。このように、前記仕切り２を、抵抗値10KΩ〜100MΩの高抵抗樹脂材で形成すると共に、前記棚板１表面を抵抗値10KΩ〜100MΩの高抵抗塗装剤で塗布することにより、磁気記録物等の載置物Ｐを載置した棚板１周辺部には実質的に帯電部を除去することができる。この結果、帯電している人体が仮に棚板１周辺部に接触した場合でも、急激な放電を防止することができ、人体に対するショックを防止すると共に、放電による磁気記録物等の載置物Ｐへの障害を防止することができる。
【００２０】
そして、該棚板１に接触する導電性部材を介して接地するように設けている。この導電性部材は、保管庫３０の有無に係わらずに用いるもので、例えばアース線に使用する電線類を棚板１に接続して接地する。この他、間隔調整自在棚板Ｑを設置する載置台等を導電性部材とし、この載置台を接地するものでも良い。このように、該棚板１に接触する導電性部材を介して接地するように設けることで、保管庫３０の有無に係わらずに静電気障害を防止することができる。
【００２１】
図１に示す棚板１には、仕切り２を挿入する仕切り挿入孔１Ａを設けてあり、この仕切り挿入孔１Ａに棚板１の裏面から仕切り２を挿入し、この仕切り２が載置物Ｐ方向に突出するように設置し、接触時に棚板１方向に押し戻されるように設けている。
【００２２】
図３は、本発明静電除去装置を保管庫３０に装着した例を示している。すなわち、棚板１に、導電性の支持棒２０を連結して棚板１との導通状態を保持し、該支持棒２０を保管庫３０内に装着する。そして、該支持棒２０を装着した保管庫３０から外部に突出した接地端子２１を介して接地するように設けている。図示の保管庫３０は前面に扉３１を設けたタイプを示しているが、保管庫３０のタイプや形状、サイズなどは、任意のものから選択することができる。
【００２３】
支持棒２０は全ネジの長ボルトを使用したもので、保管庫３０の左右に支持棒２０を２本ずつ配し、各支持棒２０の上端部が保管庫３０の上方に突出するように設けている（図４参照）。更に、突出した支持棒２０の端部にダブルナットを装着した接地端子２１を設けている。そして、このダブルナットの間にアース線等の導電性部材を接続して接地するものである。このように、保管庫３０の上方に接地端子２１を突出するように設けることで、保管庫３０の設置状態に係わらず、接地端子２１を介して接地することが可能になるので、保管庫３０を自由に設置することができる。
【００２４】
図６に示す仕切り２の配列は、多数の仕切り２を等間隔に配置して略帯状を成す仕切り帯列Ｓ２を形成している。そして、この仕切り帯列Ｓ２を前記棚板１の長手方向に沿って平行に複数列設定する。図示の仕切り帯列Ｓ２は、図１に示す仕切りユニット１０を連設することで形成している。この仕切りユニット１０は、弾性を有する合成樹脂材等にて形成される。図示例では、棚板１に固定する略帯状の固定基盤１１と、この固定基盤１１の長手側面に延長された弾性板１２とを設け、弾性板１２の板面に仕切り２を突設した仕切りユニット１０を一体成形したものである（図８参照）。尤も、仕切りユニット１０の形状や構成は図示に限定されるものではない。そして、この仕切りユニット１０の仕切り２の位置に合わせて予め開穿した棚板１の仕切り挿入孔１Ａに、棚板１の裏面から嵌入する（図１参照）。尚、本発明において、棚板１の表面とは載置物Ｐに接する面とし、棚板１の裏面とは、載置物Ｐに接しない面とする。
【００２５】
図２に示す如く、棚板１の裏面から載置物Ｐ方向に仕切りユニット１０の仕切り２を出没自在に突出させ、この状態を維持するように、仕切りユニット１０を載置物Ｐ方向に押圧付勢する板バネ３を装着する。この板バネ３は、仕切りユニット１０に設けた仕切り２の弾性を補助するもので、金属材や合成樹脂材等で形成される。図示例では、各仕切り２の位置に対応する複数の腕部３Ａを、帯板状の連結板３Ｂに設けている（図９、図１０参照）。そして、この連結板３Ｂを仕切りユニット１０と共に、リベット４で棚板１の裏面に固定する（図１参照）。このように板バネ３を装着すると、仕切り２の係止力を高めると共に、仕切り２の弾性力を長期間保持することができ、載置物Ｐの接触で長い間棚板１方向に押圧付勢されていた仕切り２でも、載置物Ｐ取り出し後には、再び仕切り挿入孔１Ａから勢いよく突出させることができる。また、棚板１の強度を高めるために、固定保持部１Ｂを、棚板１の裏面に設けている（図７参照）。
【００２６】
図５に示す棚板１は、棚板１を一対組み合わせて上下面に仕切りが突出する棚板体１００を設けた例を示している。この棚板体１００は、断面略倒コ字状を成す棚板１を一対組み合わせて略筒状に形成したもので、この筒体の内部に仕切りユニット１０や板バネ３を装着している。この棚板体１００を上下に一対設置することで、棚板体１００間の載置物Ｐの下端部と上端部とを、棚板体１００上下面の仕切り２で係止することが可能になる。このように、上下の棚板体１００の仕切り２を利用することで、棚板体１００相互の間隔より載置物Ｐの高さが僅かに低い場合でも、上部の棚板体１００における仕切り２が載置物Ｐを係止できる範囲において支持することができる。また、上下の仕切り２間に係止された載置物Ｐが、載置物Ｐの接触面で仕切り２を押圧している場合は、この仕切り２の反発力で載置物Ｐが圧着されることになる。したがって、棚板体１００相互の間隔より載置物Ｐの高さが僅かに低い場合でも、安定した支持が可能になるものである。
【００２７】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００２８】
【図１】本発明の一実施例を示す分解斜視図である。
【図２】同じく要部側面図である。
【図３】保管庫に装着した一実施例を示す斜視図である。
【図４】保管庫に装着した接地端子の一実施例を示す要部斜視図である。
【図５】本発明の棚板体の一実施例を示す要部斜視図である。
【図６】本発明の棚板の一実施例を示す平面図である。
【図７】本発明の棚板の一実施例を示す要部側面図である。
【図８】本発明の仕切りユニットの一実施例を背面から示す要部斜視図である。
【図９】本発明板バネの一実施例を示す平面図である。
【図１０】本発明の板バネの一実施例を示す側面図である。
【図１１】本発明の使用状態の一実施例を示す概略図である。
【符号の説明】
【００２９】
Ｐ  載置物
Ｑ  間隔調整自在棚板
１  棚板          １Ａ  仕切り挿入孔
１Ｂ  固定保持部
２  仕切り        
３  板バネ        ３Ａ  腕部
３Ｂ  連結板
４  リベット
１０  仕切りユニット
１１  固定基盤
１２  弾性板
２０  支持棒
２１  接地端子
３０  保管庫
３１  扉
１００  棚板体
【図１】
2006252981.tif 000003
【図２】
2006252981.tif 000004
【図３】
2006252981.tif 000005
【図４】
2006252981.tif 000006
【図５】
2006252981.tif 000007
【図６】
2006252981.tif 000008
【図７】
2006252981.tif 000009
【図８】
2006252981.tif 000010
【図９】
2006252981.tif 000011
【図１０】
2006252981.tif 000012
【図１１】
2006252981.tif 000013